(57)【要約】チャンネルアップダウンキーにおいて、外部入力を選択肢に含めるか否かを設定する。【課題】デジタル放送を始めとする放送の種類が増加し、ＶＣＲ，ＤＶＤに加えて映像信号再生機器が増加することにより、外部接続するべき機器が増加しており、多くの外部入力が必要になってきている。チャンネルアップダウンキーで外部入力全てを経由するように設定されていると、操作が煩わしいものとなる。【解決手段】信号入力が有る外部入力のみが自動的にチャンネルアップダウンキーの選択肢に含まれるようにすることで、経由不要な外部入力は選択されないようにする。【選択図】図１
2005109593.tif 000002
【特許請求の範囲】
【請求項１】
テレビ放送を受信するチューナと、外部信号を入力する外部入力端子と、受信するチャンネルの選択操作を行うためのチャンネルアップダウンキーを有し、該チャンネルアップダウンキーによるチャンネル選択の選択肢に外部入力を夫々含めるか否かを設定可能なテレビ放送受信器。
【請求項２】
外部入力端子から信号が入力されているか否かを判別する判別手段を有し、該判別手段によって信号入力されていると判断された外部入力が上記チャンネルアップダウンキーによるチャンネル選択の選択肢に含められることを特徴とする請求項１に記載のテレビ放送受信器。
【請求項３】
上記判別手段が、同期信号の検出によって信号入力されていると判断することを特徴とする請求項２に記載のテレビ放送受信器。
【請求項４】
受信不要なチャンネルをチャンネルアップダウンキーによるチャンネル選択の選択肢に含めないスキップ設定が可能であり、外部入力端子から信号が入力されているか否かを判別する判別手段を有し、該判別手段によって信号入力がないと判断された外部入力がスキップ設定されることを特徴とする請求項１に記載の特徴テレビ放送受信器
【請求項５】
上記判別手段が、同期信号の未検出によって信号入力されていないと判断することを特徴とする請求項４に記載のテレビ放送受信器。
【請求項６】
外部入力端子に外部機器が接続されているか否かを判別する判別手段を有し、該判別手段によって外部機器が接続されていると判断された外部入力が上記チャンネルアップダウンキーによるチャンネル選択の選択肢に含められることを特徴とする請求項１に記載のテレビ放送受信器。
【請求項７】
受信不要なチャンネルをチャンネルアップダウンキーによるチャンネル選択の選択肢に含めないスキップ設定が可能であり、外部入力端子に外部機器が接続されているか否かを判別する判別手段を有し、該判別手段によって外部機器が接続されていないと判断された外部入力がスキップ設定されることを特徴とする請求項１に記載の特徴テレビ放送受信器。
【発明の詳細な説明】
【技術分野】
【０００１】
本発明は、外部入力端子を有するテレビ放送受信器に関する。
【背景技術】
【０００２】
テレビ放送受信器としては、一般にテレビ、ビデオレコーダがある。一般に販売されているテレビ、ビデオレコーダは、テレビチューナを有しテレビ放送を選局できるほかに、映像、音声入力端子を持ち、外部から映像、音声信号を入力できるようになっている。一般的なテレビは、図７に示すようなシステム構造を有している。
【０００３】
ＢＳアンテナ（１）で受けたＢＳ衛星からの放送電波は、ＢＳアナログテレビチューナ（６）によって選局される。ユーザが操作部（１９）を操作するか、リモコン（２１）を操作してリモコン受光部（２０）を介して指示した放送チャンネルの信号が抽出されるように制御部（１８）がＢＳアナログテレビチューナ（６）を制御する。選局されたＢＳテレビ信号は、ＢＳ復調器（８）で復調される。
【０００４】
同様に、地上波アンテナ（２）で受けた地上波アナログテレビ放送電波は、地上波アナログテレビチューナ（７）によって選局される。ユーザが操作部（１９）を操作するか、リモコン（２１）を操作してリモコン受光部（２０）を介して指示した放送チャンネルの信号が抽出されるように制御部（１８）が地上波アナログテレビチューナ（７）を制御する。選局された地上波テレビ信号は、地上波復調器（９）で復調される。
【０００５】
また、他のＶＣＲやＤＶＤプレーヤなどの他のＡＶ信号源を使用する場合は、外部入力（３）より入力される。
【０００６】
リモコン（２１）による操作信号はリモコン受光部（２０）を介して制御部（１８）に入力される。また本テレビ本体に設けられた操作部（１９）を使用して操作信号を制御部（１８）に入力することもできる。リモコン（２１）もしくは操作部（１９）にて指定した放送チャンネルに応じて、切換回路（１０）を切り替えて、入力テレビ信号を選択する。
【０００７】
このようにして得られたテレビ信号は、映像信号は、映像処理回路（１１）にて、表示のための信号処理がなされ、ＣＲＴ、ＬＣＤ又はＰＤＰなどである表示部（１３）において表示される。一方、音声信号は、音声処理回路（１２）で必要な信号処理がなされてスピーカ（１４）から出力される。
【０００８】
上記のようなシステムにおいて、リモコンは一般に図２に示すような構造になっている。２０２は、電源ボタン、２０１は選局のためのチャンネルボタン、２０７はＢＳチャンネルを選局するためのＢＳボタン、２０３は、音声ミュートのためのミュートボタン、２０５はボリュームであり、２０６は外部入力と内蔵テレビチューナ（地上波、ＢＳ）を切り替えるための入力切替ボタンで、このボタンを押すと外部入力とテレビチャンネルに切り替わる。また、２０８は種々の設定を行うためのメニューボタンである。２０９は、信号をテレビ本体に送るための発光部である。
【０００９】
２０４は、チャンネル・アップダウンボタンで、例えば特開平６−８５６１３公報に記載のように、＋側を押すと、チャンネルが、１、２、３、…、ＢＳ１、ＢＳ２、ＢＳ３、…、外部入力という順に切り替わる。このとき、同公報に記載のように、チャネル設定されていないチャネルはスキップされるようにすることもできる。−側を押すとこの逆の順にチャンネルが切り替わる。
【特許文献１】特開平６−８５６２３号公報
【発明の開示】
【発明が解決しようとする課題】
【００１０】
近年、ＶＣＲ、ＤＶＤプレーヤに加え種々のＡＶ再生ソースが開発されており、さらにＣＳ１１０度デジタルテレビ放送、ＢＳデジタルテレビ放送、地上波デジタルテレビ放送、さらにはＣＡＴＶも加えテレビ放送も多種になってきている。そのため、これらのＡＶ再生ソースや上記のような多種多様なテレビ放送のための受信器を外部接続できるように、外部入力端子を複数有するテレビやＶＣＲなどが増えてきている。
【００１１】
ここで上記の如く、チャンネル・アップダウンボタンを使用すると、専用の切換ボタン（例えば、入力切替ボタン）を必要とせずに、簡単な操作で外部入力も地上波アナログ放送チャンネルもＢＳアナログ放送チャンネルも選択することができる半面、チャンネル選択時には必ず外部入力を経由するため、上記のように外部入力端子の数が多くなればなるほど、選択に時間が係り、操作が煩わしくなるという問題が発生する。外部入力の選択をチャンネルアップダウン操作に加えるかどうかを手動で設定する方法も考えられるが、その操作がまた煩わしく、操作が煩わしいという問題の解決にはならない。
【課題を解決するための手段】
【００１２】
本願発明によるテレビ放送受信器は、テレビ放送を受信するチューナと、外部信号を入力する外部入力端子と、受信するチャンネルの選択操作を行うためのチャンネルアップダウンキーを有し、該チャンネルアップダウンキーによるチャンネル選択の選択肢に外部入力を夫々含めるか否かを設定可能である第一の構成を有する。
【００１３】
また、上記第一の構成において、外部入力端子から信号が入力されているか否かを判別する判別手段を有し、該判別手段によって信号入力されていると判断された外部入力が上記チャンネルアップダウンキーによるチャンネル選択の選択肢に含められるようにすることができる。
【００１４】
さらに、上記判別手段が、同期信号の検出によって信号入力されていると判断することもできる
他に、上記第一の構成において、受信不要なチャンネルをチャンネルアップダウンキーによるチャンネル選択の選択肢に含めないスキップ設定が可能であり、外部入力端子から信号が入力されているか否かを判別する判別手段を有し、該判別手段によって信号入力がないと判断された外部入力がスキップ設定されるように構成することもできる。
【００１５】
さらに、上記判別手段が、同期信号の未検出によって信号入力されていないと判断することもできる。
【００１６】
あるいは、上記第一の構成において、外部入力端子に外部機器が接続されているか否かを判別する判別手段を有し、該判別手段によって外部機器が接続されていると判断された外部入力が上記チャンネルアップダウンキーによるチャンネル選択の選択肢に含められるように構成しても構わない。
【００１７】
また、上記第一の構成において、受信不要なチャンネルをチャンネルアップダウンキーによるチャンネル選択の選択肢に含めないスキップ設定が可能であり、外部入力端子に外部機器が接続されているか否かを判別する判別手段を有し、該判別手段によって外部機器が接続されていないと判断された外部入力がスキップ設定されるように構成しても構わない。
【発明の効果】
【００１８】
本発明は、テレビ放送を受信するチューナと、外部信号を入力する外部入力端子と、受信するチャンネルの選択操作を行うためのチャンネルアップダウンキーを有し、該チャンネルアップダウンキーによるチャンネル選択の選択肢に外部入力を夫々含めるか否かを設定可能なテレビ放送受信器である
従って、チャンネルアップダウンキーの選択肢に外部入力を含めるかどうかを各外部入力端子毎に設定可能であるため、外部入力端子の数が多くなっても、必要な外部入力のみを選択肢として設定できるため、チャンネルアップダウンキーの操作により不要な外部入力を経由する必要がなくなった。
【００１９】
さらに本願発明は、外部入力端子から信号が入力されているか否かを判別する判別手段を有し、該判別手段によって信号入力されていると判断された外部入力が上記チャンネルアップダウンキーによるチャンネル選択の選択肢に含められるテレビ放送受信器であり、具体的には、上記判別手段が、同期信号の検出によって信号入力されていると判断している。
【００２０】
従って、外部入力信号があれば、自動的にその外部入力がチャンネルアップダウンキーの選択肢に加えられるため、どの外部入力を選択肢に加えるかどうかを設定する手間や煩わしさが解消される。
【００２１】
一方、本願発明は、受信不要なチャンネルをチャンネルアップダウンキーによるチャンネル選択の選択肢に含めないスキップ設定が可能であり、外部入力端子から信号が入力されているか否かを判別する判別手段を有し、該判別手段によって信号入力がないと判断された外部入力がスキップ設定されるように構成することができる。具体的には、上記判別手段が、同期信号の未検出によって信号入力されていないと判断している。
【００２２】
従って、外部入力に信号入力がなければ、自動的にその外部入力がチャンネルアップダウンキーの選択肢から外されるため、どの外部入力を選択肢に加えるかどうかを設定する手間や煩わしさが解消される。
【００２３】
また、本願発明は、外部入力端子に外部機器が接続されているか否かを判別する判別手段を有し、該判別手段によって外部機器が接続されていると判断された外部入力が上記チャンネルアップダウンキーによるチャンネル選択の選択肢に含められることができる
従って、外部機器接続があれば、自動的にその外部入力がチャンネルアップダウンキーの選択肢に加えられるため、どの外部入力を選択肢に加えるかどうかを設定する手間や煩わしさが解消される。
【００２４】
あるいは、本願発明は、受信不要なチャンネルをチャンネルアップダウンキーによるチャンネル選択の選択肢に含めないスキップ設定が可能であり、外部入力端子に外部機器が接続されているか否かを判別する判別手段を有し、該判別手段によって外部機器が接続されていないと判断された外部入力がスキップ設定されることができる。
【００２５】
従って、外部機器接続がなければ、自動的にその外部入力がチャンネルアップダウンキーの選択肢から外されるため、どの外部入力を選択肢に加えるかどうかを設定する手間や煩わしさが解消される。
【発明を実施するための最良の形態】
【００２６】
（実施例１）
地上波アナログ放送、ＢＳアナログ放送及び外部入力を３系統有するテレビジョンのブロック図を図１に示す。外部入力には、地上波デジタル放送受信機、ＢＳデジタル放送受信機、ＣＳ１１０度デジタル放送受信機、ＶＣＲ、ＤＶＤプレーなどを接続することができる。
【００２７】
ＢＳアンテナ（１）で受けたＢＳ衛星からの放送電波は、ＢＳアナログテレビチューナ（６）によって選局される。ユーザが操作部（１９）を操作するか、リモコン（２１）を操作してリモコン受光部（２０）を介して指示した放送チャンネルの信号が抽出されるように制御部（１８）がＢＳアナログテレビチューナ（６）を制御する。選局されたＢＳテレビ信号は、ＢＳ復調器（８）で復調される。
【００２８】
同様に、地上波アンテナ（２）で受けた地上波アナログテレビ放送電波は、地上波アナログテレビチューナ（７）によって選局される。ユーザが操作部（１９）を操作するか、リモコン（２１）を操作してリモコン受光部（２０）を介して指示した放送チャンネルの信号が抽出されるように制御部（１８）が地上波アナログテレビチューナ（７）を制御する。選局された地上波テレビ信号は、地上波復調器（９）で復調される。
【００２９】
また、他のＶＣＲやＤＶＤプレーヤなどの他のＡＶ信号源を使用する場合は、外部入力（３）（４）（５）より入力される。
【００３０】
リモコン（２１）による操作信号はリモコン受光部（２０）を介して制御部（１８）に入力される。また本テレビ本体に設けられた操作部（１９）を使用して操作信号を制御部（１８）に入力することもできる。リモコン（２１）もしくは操作部（１９）にて指定した放送チャンネルに応じて、切換回路（１０）を切り替えて、入力信号を選択する。
【００３１】
このようにして得られた入力信号は、映像信号は、映像処理回路（１１）にて、表示のための信号処理がなされ、ＣＲＴ、ＬＣＤ又はＰＤＰなどである表示部（１３）において表示される。一方、音声信号は、音声処理回路（１２）で必要な信号処理がなされてスピーカ（１４）から出力される。
【００３２】
ここで、外部入力１（３）、外部入力２（４）、外部入力３（５）には、夫々、信号入力判定回路１（１５）、信号入力判定会路２（１６）、信号入力判定回路３（１７）が接続されており、各外部入力端子（３）、（４）、（５）に外部機器が接続され、実際に信号が入力されているかどうかを判断している。
【００３３】
具体的には、例えば、各信号入力判定回路（１５）、（１６）、（１７）は、入力されている映像信号の同期信号を計測し、正しい同期信号が入力されているかどうかで信号の入力の有無を判断している。しかし、本発明は、この信号入力判断方法に限定されるものではなく、例えばプラグアンドプレイのように外部機器が接続されているかどうかを判断してもよく、信号入力の有無を判断できる方法であればいかなる方法を使用しても構わない。
【００３４】
上記のようなシステムにおいて、リモコンは一般に図２に示すような構造になっている。電源ボタン（２０２）、選局のためのチャンネルボタン（２０１）、ＢＳチャンネルを選局するためのＢＳボタン（２０７）、音声ミュートのためのミュートボタン（２０３）、ボリュームは（２０４）であり、外部入力と内蔵テレビチューナ（地上波、ＢＳ）を切り替えるための入力切替ボタン（２０６）、種々の設定を行うためのメニューボタン（２０８）と、テレビ本体に送るための信号を出力する発光部（２０９）で構成されており、この入力切替ボタン（２０６）を押すと外部入力とテレビチャンネルに切り替わる。
【００３５】
さらに、（２０４）は、チャンネル・アップダウンボタンで、＋側を押すと、チャンネルが、１、２、３、…、ＢＳ１、ＢＳ２、ＢＳ３、…、外部入力１、外部入力２、外部入力３という順に切り替わる。このとき、受信チャンネルを設定されていないチャンネルをスキップするように設定することができる。さらに、信号入力判定回路における信号入力の有無の判断結果は、制御部（１８）に送られ、制御部（１８）は切換回路（１０）に、その信号入力有と判断された外部入力端子のみがチャンネルアップダウン操作に加えられるようにすることもできる。
【００３６】
例えば、信号入力判定回路において、外部入力１（３）、外部入力３（５）が信号入力なし、外部入力２（４）が信号入力有と判断され、受信チャンネルは偶数チャンネルのみに設定され、未設定にチャンネルをスキップに設定しているとすると、チャンネル・アップダウンボタン（２０４）で、＋側を押すと、チャンネルが、２、４、６、８、１０、１２…、ＢＳ２、ＢＳ４、ＢＳ６、…、外部入力２という順に切り替わる。
【００３７】
次に、図３にチャンネル・アップダウンボタン（２０４）操作時の信号処理例１のフローチャートを示す。本実施例では、地上波放送のチャンネルを１００チャンネル、ＢＳ放送のチャンネルを１００チャンネル設定できるものとし、外部入力端子を３端子とする。しかし、本発明は、このチャンネル構成に限定されるものではなく、いかなるチャンネル構成にも対応可能であることは明白である。
【００３８】
また、本実施例では、偶数チャンネルのみを視聴チャンネルとし、奇数チャンネルは、特開平６−８５６２３号公報に記載の方法でチャネルスキップに設定するものとする。さらに、外部入力端子には、外部入力２にのみ外部機器が接続されており、信号入力されているものとする。このチャンネル設定は図４に示すとおりとなる。
【００３９】
図３に示すように、テレビ視聴中に（ステップ３０１）、チャンネルアップダウンキーを操作すると（ステップ３０２）、それがアップキーの場合は（ステップ３０３）、チャネルをアップし（ステップ３０４）、そのチャンネルがテレビチャンネルであるならば（ステップ３０６）、そのチャンネルがスキップ設定されているか否かを判断する（ステップ３０６）、スキップ設定されている場合は、更にチャンネルをアップし（ステップ３０４）、ステップ３０５、ステップ３０６の判断を再度行う。
【００４０】
一方ステップ３０６において、スキップ設定されていないと判断された場合は、視聴チャンネルをそのチャンネルに変更し（ステップ３０８）、表示部にそのチャンネルの放送を表示する（ステップ３１４）。
【００４１】
また、ステップ３０５において外部入力であると判断された場合は、その外部入力端子に外部機器がつながっているかどうか、あるいは信号が入力されているかどうかを判断する（ステップ３０７）。このとき、信号入力がないと判断された場合は（ステップ３０７）、再度チャンネルアップし（ステップ３０４）、ステップ３０５、ステップ３０６、及び必要であればステップ３０７の判断を行う。一方、ステップ３０７で信号入力有と判断された場合は、視聴チャンネルをそのチャンネルに変更し（ステップ３０８）、表示部にそのチャンネルの放送を表示する（ステップ３１４）。
【００４２】
また、チャンネルダウンキーが操作された場合は（ステップ３０３）、チャネルをダウンし（ステップ３０９）、そのチャンネルがテレビチャンネルであるならば（ステップ３１０）、そのチャンネルがスキップ設定されているか否かを判断する（ステップ３１１）、スキップ設定されている場合は、更にチャンネルをダウンし（ステップ３０９）、ステップ３１０、ステップ３１１の判断を再度行う。
【００４３】
一方ステップ３１１において、スキップ設定されていないと判断された場合は、視聴チャンネルをそのチャンネルに変更し（ステップ３１３）、表示部にそのチャンネルの放送を表示する（ステップ３１４）。
【００４４】
また、ステップ３１０において外部入力であると判断された場合は、その外部入力端子に外部機器がつながっているかどうか、あるいは信号が入力されているかどうかを判断する（ステップ３１２）。このとき、信号入力がないと判断された場合は（ステップ３１２）、再度チャンネルダウンし（ステップ３０９）、ステップ３１０、ステップ３１１、及び必要であればステップ３１２の判断を行う。一方、ステップ３１２で信号入力有と判断された場合は、視聴チャンネルをそのチャンネルに変更し（ステップ３１３）、表示部にそのチャンネルの放送を表示する（ステップ３１４）。
【００４５】
さらに具体的には、視聴チャンネルを２チャンネルとしていた場合に、チャンネルアップキーを操作すると（ステップ３０３）、チャンネルを３チャンネルにアップする（ステップ３０４）。ここでこのチャンネル（３チャンネル）は、実際に視聴チャンネルを変更するのではなく、信号処理のために一時的に制御部（１８）内で保持されるものとする。このとき、３チャンネルは図４に示すようにスキップに設定されているため（ステップ３０６）、さらにチャンネルは４チャンネルにアップされる（ステップ３０４）。
【００４６】
４チャンネルは図４に示すように、スキップに設定されていないため（ステップ３０６）、視聴チャンネルを４チャンネルに変更し（ステップ３０８）、表示部（１３）には、４チャンネルが表示される（ステップ３１４）。
【００４７】
さらに、チャンネルアップキーを操作すると、チャンネルが昇順に変わって上記と同じ処理がなされる。チャンネルは、地上波１００チャンネルの次にＢＳの１００チャンネルに続いて変わっていく。ＢＳ１００チャンネルが表示されている状態で、さらにチャンネルアップキーを操作すると（ステップ３０３）、チャンネルはアップして外部入力１に変わる（ステップ３０４）。外部入力であるため（ステップ３０５）、図４に示されているように信号入力があるか否かを判断する（ステップ３０７）。
【００４８】
このとき、信号入力の有無は、上記にように判断され、その結果情報を図４の如く、制御部（１８）内に保持しておいて、その保持された情報を利用して判断すればよい。この場合、外部入力端子に新たに外部機器が接続されたり、新たな信号入力があった場合、逆に接続されている外部機器が取り外されたり、信号入力がなくなった場合など状態に変化があれば、その変化を信号入力判定回路がその都度判断して、制御部（１８）に情報を提供し、図４の情報を更新するものとする。その他にも、信号入力有無の判断が必要な時に、制御部（１８）から信号入力判定回路に指示を出して判断するようにしても構わない。この判断のタイミングは、上記に限定されるものではなく、いかなるタイミングで判断しても構わない。
【００４９】
図４に示すように外部入力１は入力信号がないので（ステップ３０７）、さらにチャンネルを外部入力２にアップする（ステップ３０４）。図４に示すように、外部入力２には信号入力が有るので（ステップ３０７）、視聴チャンネルを外部入力２に変更し（ステップ３０８）、表示部（１３）には外部入力２に接続された外部機器からの映像が表示される（ステップ３１４）。
【００５０】
さらに、チャンネルアップキーを操作すると（ステップ３０３）、チャンネルはアップして外部入力３に変わる（ステップ３０４）。外部入力であるため（ステップ３０５）、図４に示されているように信号入力があるか否かを判断する（ステップ３０７）。
【００５１】
図４に示すように外部入力３は入力信号がないので（ステップ３０７）、さらにチャンネルをアップするが、外部入力３の上のチャンネルはないので、１チャンネルに戻る（ステップ３０４）。図４に示すように、１チャンネルは図４に示すようにスキップに設定されているため（ステップ３０６）、さらにチャンネルは２チャンネルにアップされる（ステップ３０４）。
【００５２】
２チャンネルは図４に示すように、スキップに設定されていないため（ステップ３０６）、視聴チャンネルを２チャンネルに変更し（ステップ３０８）、表示部（１３）には、２チャンネルが表示される（ステップ３１４）。
【００５３】
また、チャンネルダウンキーを操作した場合も同様であり、視聴チャンネルを外部入力２とし、外部入力２に接続された外部機器からの映像を見ていた場合に、チャンネルダウンキーを操作すると（ステップ３０３）、チャンネルを外部入力１にダウンする（ステップ３０９）。外部入力１は、外部入力であり（ステップ３１０）、図４に示すように入力信号がないため（ステップ３１２）、さらにチャンネルはＢＳ１００チャンネルにダウンされる（ステップ３０９）。
【００５４】
ＢＳ１００チャンネルは図４に示すように、スキップに設定されていないため（ステップ３１１）、視聴チャンネルをＢＳ１００チャンネルに変更し（ステップ３１３）、表示部（１３）には、ＢＳ１００チャンネルが表示される（ステップ３１４）。
【００５５】
さらに、チャンネルダウンキーを操作すると、チャンネルが降順に変わって上記と同じ処理がなされる。チャンネルは、降順では、外部入力の後、ＢＳ１００チャンネル、地上波１００チャンネルと続く。２チャンネルが表示されている状態で、さらにチャンネルダウンキーを操作すると（ステップ３０３）、チャンネルはダウンして１チャンネルに変わる（ステップ３０９）。
【００５６】
１チャンネルは、図４に示されているようにスキップに設定されているので（ステップ３１１）、さらにチャンネルをダウンするが、１チャンネルより下のチャンネルはないので、外部入力３に変わる（ステップ３０９）。図４に示すように、外部入力３には信号入力がないので（ステップ３１２）、さらにチャンネルをダウンし、外部入力２に変わる（ステップ３０９）。図４に示すように、外部入力２には信号入力が有るので（ステップ３１２）、視聴チャンネルを外部入力２に変更し（ステップ３１３）、表示部（１３）には外部入力２に接続された外部機器からの映像が表示される（ステップ３１４）。
（実施例２）
また、ハードウェア的には、図１、図２と同じ構成とし、外部入力に外部機器が接続されていないか、信号入力がない場合には、図６の如くその外部入力をスキップに設定するようにする。この場合のフローチャートは図５に示すようになる。
【００５７】
本実施例２でも、地上波放送のチャンネルを１００チャンネル、ＢＳ放送のチャンネルを１００チャンネル設定できるものとし、外部入力端子を３端子とする。しかし、本発明は、このチャンネル構成に限定されるものではなく、いかなるチャンネル構成にも対応可能であることは明白である。
【００５８】
また、本実施例２では、偶数チャンネルのみを視聴チャンネルとし、奇数チャンネルは、特開平６−８５６２３号公報に記載の方法でチャネルスキップに設定するものとする。さらに、外部入力端子には、外部入力２にのみ外部機器が接続されており、信号入力されているものとし、外部入力に外部機器が接続されていないか、信号入力がない場合には、スキップに設定されるものとする。外部入力２のみに外部機器が接続されているものとすると、このチャンネル設定は図６に示すとおりとなる。
【００５９】
図５に示すように、テレビ視聴中に（ステップ５０１）、チャンネルアップダウンキーを操作すると（ステップ５０２）、それがアップキーの場合は（ステップ５０３）、チャネルをアップし（ステップ５０４）、そのチャンネルがスキップ設定されているか否かを判断する（ステップ５０５）、スキップ設定されている場合は、更にチャンネルをアップし（ステップ５０４）、ステップ５０５の判断を再度行う。
【００６０】
一方ステップ５０５において、スキップ設定されていないと判断された場合は、視聴チャンネルをそのチャンネルに変更し（ステップ５０６）、表示部にそのチャンネルの放送を表示する（ステップ５１０）。
【００６１】
また、チャンネルダウンキーが操作された場合は（ステップ５０３）、チャネルをダウンし（ステップ５０７）、そのチャンネルがスキップ設定されているか否かを判断する（ステップ５０８）、スキップ設定されている場合は、更にチャンネルをダウンし（ステップ５０７）、ステップ５０８の判断を再度行う。
【００６２】
一方ステップ５０８において、スキップ設定されていないと判断された場合は、視聴チャンネルをそのチャンネルに変更し（ステップ５０９）、表示部にそのチャンネルの放送を表示する（ステップ５１０）。
【００６３】
さらに具体的には、視聴チャンネルを２チャンネルとしていた場合に、チャンネルアップキーを操作すると（ステップ５０３）、チャンネルを３チャンネルにアップする（ステップ５０４）。ここでこのチャンネル（３チャンネル）は、実際に視聴チャンネルを変更するのではなく、信号処理のために一時的に制御部（１８）内で保持されるものとする。このとき、３チャンネルは図６に示すようにスキップに設定されているため（ステップ５０５）、さらにチャンネルは４チャンネルにアップされる（ステップ５０４）。
【００６４】
４チャンネルは図６に示すように、スキップに設定されていないため（ステップ５０５）、視聴チャンネルを４チャンネルに変更し（ステップ５０６）、表示部（１３）には、４チャンネルが表示される（ステップ５１０）。
【００６５】
さらに、チャンネルアップキーを操作すると、チャンネルが昇順に変わって上記と同じ処理がなされる。チャンネルは、地上波１００チャンネルの次にＢＳの１００チャンネルに続いて変わっていく。ＢＳ１００チャンネルが表示されている状態で、さらにチャンネルアップキーを操作すると（ステップ５０３）、チャンネルはアップして外部入力１に変わる（ステップ５０４）。外部入力１は、スキップ設定の有無を判断する（ステップ５０５）。
【００６６】
このとき、信号入力の有無は、上記にように判断され、その結果情報を図６の如く、制御部（１８）内に保持しておいて、その保持された情報を利用して判断すればよい。この場合、外部入力端子に新たに外部機器が接続されたり、新たな信号入力があった場合、逆に接続されている外部機器が取り外されたり、信号入力がなくなった場合など状態に変化があれば、その変化を信号入力判定回路がその都度判断して、制御部（１８）に情報を提供し、図６の情報を更新するものとする。その他にも、信号入力有無の判断が必要な時に、制御部（１８）から信号入力判定回路に指示を出して判断するようにしても構わない。この判断のタイミングは、上記に限定されるものではなく、いかなるタイミングで判断しても構わない。
【００６７】
図６に示すように外部入力１は入力信号がないのでスキップに設定されているので（ステップ５０５）、さらにチャンネルを外部入力２にアップする（ステップ５０４）。図６に示すように、外部入力２には信号入力が有るのでスキップ設定はされてなくて（ステップ５０５）、視聴チャンネルを外部入力２に変更し（ステップ５０６）、表示部（１３）には外部入力２に接続された外部機器からの映像が表示される（ステップ５１０）。
【００６８】
さらに、チャンネルアップキーを操作すると（ステップ５０３）、チャンネルはアップして外部入力３に変わる（ステップ５０４）。図６に示されているように、外部入力３は入力信号がないのでスキップに設定されているため（ステップ５０６）、さらにチャンネルをアップするが、外部入力３の上のチャンネルはないので、１チャンネルに戻る（ステップ５０４）。図６に示すように、１チャンネルは図６に示すようにスキップに設定されているため（ステップ５０５）、さらにチャンネルは２チャンネルにアップされる（ステップ５０４）。
【００６９】
２チャンネルは図６に示すように、スキップに設定されていないため（ステップ５０５）、視聴チャンネルを２チャンネルに変更し（ステップ５０６）、表示部（１３）には、２チャンネルが表示される（ステップ５１０）。
【００７０】
また、チャンネルダウンキーを操作した場合も同様であり、視聴チャンネルを外部入力２とし、外部入力２に接続された外部機器からの映像を見ていた場合に、チャンネルダウンキーを操作すると（ステップ５０３）、チャンネルを外部入力１にダウンする（ステップ５０７）。外部入力１は、図６に示すように入力信号がないためスキップに設定されているので（ステップ５０８）、さらにチャンネルはＢＳ１００チャンネルにダウンされる（ステップ５０７）。
【００７１】
ＢＳ１００チャンネルは図６に示すように、スキップに設定されていないため（ステップ５０８）、視聴チャンネルをＢＳ１００チャンネルに変更し（ステップ５０９）、表示部（１３）には、ＢＳ１００チャンネルが表示される（ステップ５１０）。
【００７２】
さらに、チャンネルダウンキーを操作すると、チャンネルが降順に変わって上記と同じ処理がなされる。チャンネルは、降順では、外部入力の後、ＢＳ１００チャンネル、地上波１００チャンネルと続く。２チャンネルが表示されている状態で、さらにチャンネルダウンキーを操作すると（ステップ５０３）、チャンネルはダウンして１チャンネルに変わる（ステップ５０７）。
【００７３】
１チャンネルは、図６に示されているようにスキップに設定されているので（ステップ５０８）、さらにチャンネルをダウンするが、１チャンネルより下のチャンネルはないので、外部入力３に変わる（ステップ５０７）。図６に示すように、外部入力３には信号入力がないのでスキップに設定されているので（ステップ５０８）、さらにチャンネルをダウンし、外部入力２に変わる（ステップ５０７）。図６に示すように、外部入力２には信号入力が有るのでスキップ設定されていないため（ステップ５０８）、視聴チャンネルを外部入力２に変更し（ステップ５０９）、表示部（１３）には外部入力２に接続された外部機器からの映像が表示される（ステップ５１０）。
【００７４】
本実施例では、外部入力が３系統の場合について説明したが、外部入力の数はこれに限定されるものではなく、何系統あろうとも本願発明を適用できることは明白である・
【図面の簡単な説明】
【００７５】
【図１】本願発明のブロック図
【図２】リモコンの外観図
【図３】実施例１のフローチャート
【図４】実施例１のチャンネル設定
【図５】実施例２のフローチャート
【図６】実施例２のチャンネル設定
【図７】従来技術のブロック図
【符号の説明】
【００７６】
１            ＢＳアンテナ
２             地上波アンテナ
３             外部入力１
４             外部入力２
５             外部入力３
６             ＢＳアナログテレビチューナ
７             地上波アナログテレビチューナ
８             ＢＳ復調器
９             地上波復調器
１０           切換回路
１１           映像処理回路
１２           音声処理回路
１３           表示部
１４           スピーカ
１５           信号入力判定回路１
１６           信号入力判定回路２
１７           信号入力判定回路３
１８           制御部
１９           操作部
２０           リモコン受光部
２１           リモコン
２０１ チャンネルボタン
２０２ 電源ボタン
２０３ ミュートボタン
２０４ チャンネル・アップダウンボタン
２０５ ボリューム
２０６ 入力切替ボタン
２０７ ＢＳボタン
２０８ メニューボタン
【図１】
2005109593.tif 000003
【図２】
2005109593.tif 000004
【図３】
2005109593.tif 000005
【図４】
2005109593.tif 000006
【図５】
2005109593.tif 000007
【図６】
2005109593.tif 000008
【図７】
2005109593.tif 000009